(57)【要約】【課題】受信装置の誤り率特性を向上させること。【解決手段】シンボル列生成部１１２は、複数のシンボルをそれぞれ有する複数のシンボル列を複数の予備伝搬路推定信号として生成する。シンボル選択部１１４は、受信装置によって行われる伝搬路推定の結果における位相誤差が除去されるように前記複数の予備伝搬路推定信号において極性反転すべきシンボルである反転対象シンボルを選択する。極性反転部１１６は、前記反転対象シンボルを極性反転して反転シンボルを生成する。伝搬路推定信号生成部１１８は、前記複数の予備伝搬路推定信号において前記反転対象シンボル以外のシンボルである非反転シンボルと前記反転シンボルとを合成して前記複数の伝搬路推定信号を生成する。送信信号生成部１１０は、前記複数の伝搬路推定信号を前記受信装置宛ての送信データに挿入して送信信号を生成する。【選択図】      図１
2004236175.tif 000002
【特許請求の範囲】
【請求項１】
受信装置宛ての送信データと前記受信装置によって行われる伝搬路推定において用いられる複数の伝搬路推定信号とを送信信号として複数のアンテナから送信する送信装置において、
複数のシンボルをそれぞれ有する複数のシンボル列を複数の予備伝搬路推定信号として生成するシンボル列生成手段と、
前記伝搬路推定の結果における位相誤差が除去されるように前記複数の予備伝搬路推定信号において極性反転すべきシンボルである反転対象シンボルを選択するシンボル選択手段と、
前記反転対象シンボルを極性反転して反転シンボルを生成する極性反転手段と、
前記複数の予備伝搬路推定信号において前記反転対象シンボル以外のシンボルである非反転シンボルと前記反転シンボルとを合成して前記複数の伝搬路推定信号を生成する伝搬路推定信号生成手段と、
前記複数の伝搬路推定信号を前記送信データに挿入して前記送信信号を生成する送信信号生成手段と、
を具備することを特徴とする送信装置。
【請求項２】
前記シンボル列生成手段は、
４個のシンボルをそれぞれ有する２個のシンボル列を２個の予備伝搬路推定信号として生成し、
前記シンボル選択手段は、
前記２個の予備伝搬路推定信号の一方を構成する前記４個のシンボルのうち２番目および３番目に送信されるシンボルを前記反転対象シンボルとして選択することを特徴とする請求項１記載の送信装置。
【請求項３】
前記シンボル生成手段は、
６個のシンボルをそれぞれ有する３個のシンボル列を３個の予備伝搬路推定信号として生成し、
前記シンボル選択手段は、
前記３個の予備伝搬路推定信号の第１の予備伝搬路推定信号を構成する前記６個のシンボルのうち３番目および４番目に送信されるシンボルを前記反転対象シンボルとして選択し、かつ、前記３個の予備伝搬路推定信号の第２の予備伝搬路推定信号を構成する前記６個のシンボルのうち２番目および５番目に送信されるシンボルを前記反転対象シンボルとして選択することを特徴とする請求項１記載の送信装置。
【請求項４】
前記シンボル列生成手段は、
８個のシンボルをそれぞれ有する４個のシンボル列を４個の予備伝搬路推定信号として生成し、
前記シンボル選択手段は、
前記４個の予備伝搬路推定信号の第１の予備伝搬路推定信号を構成する前記８個のシンボルのうち４番目および５番目に送信されるシンボルを前記反転対象シンボルとして選択し、前記４個の予備伝搬路推定信号の第２の予備伝搬路推定信号を構成する前記８個のシンボルのうち３番目および６番目に送信されるシンボルを前記反転対象シンボルとして選択し、かつ、前記４個の予備伝搬路推定信号の第３の予備伝搬路推定信号を構成する前記８個のシンボルのうち２番目および７番目に送信されるシンボルを前記反転対象シンボルとして選択することを特徴とする請求項１記載の送信装置。
【請求項５】
前記送信信号生成手段は、
前記複数の伝搬路推定信号の各シンボルの周期を前記送信データの周期より短くする周期短縮手段と、
前記周期短縮手段によって前記周期を短くされる前記複数の伝搬路推定信号を前記送信データに挿入して前記送信信号を生成する信号挿入手段と、を具備することを特徴とする請求項１記載の送信装置。
【請求項６】
前記周期短縮手段は、
前記送信データにおける拡散率より低い拡散率を用いて前記複数の伝搬路推定信号を拡散することにより前記複数の伝搬路推定信号の各シンボルの前記周期を短くすることを特徴とする請求項５記載の送信装置。
【請求項７】
前記送信信号を複数のサブキャリアに分配して伝送するマルチキャリア伝送手段をさらに具備することを特徴とする請求項１から請求項６のいずれかに記載の送信装置。
【請求項８】
請求項１から請求項７のいずれかに記載の送信装置を具備することを特徴とする基地局装置。
【請求項９】
請求項１から請求項７のいずれかに記載の送信装置を具備することを特徴とする通信端末装置。
【請求項１０】
受信装置宛ての送信データと前記受信装置によって行われる伝搬路推定において用いられる複数の伝搬路推定信号とを送信信号として複数のアンテナから送信する送信装置における送信方法において、
複数のシンボルをそれぞれ有する複数のシンボル列を複数の予備伝搬路推定信号として生成するシンボル列生成ステップと、
前記伝搬路推定の結果における位相誤差が除去されるように前記複数の予備伝搬路推定信号において極性反転すべきシンボルである反転対象シンボルを選択するシンボル選択ステップと、
前記反転対象シンボルを極性反転して反転シンボルを生成する極性反転ステップと、
前記複数の予備伝搬路推定信号において前記反転対象シンボル以外のシンボルである非反転シンボルと前記反転シンボルとを合成して前記複数の伝搬路推定信号を生成する伝搬路推定信号生成ステップと、
前記複数の伝搬路推定信号を前記送信データに挿入して前記送信信号を生成する送信信号生成ステップと、
を具備することを特徴とする送信方法。
【発明の詳細な説明】
【０００１】
【発明の属する技術分野】
本発明は、送信装置および送信方法に関し、特に複数のアンテナから送信信号が送信される通信方式に適用される送信装置および送信方法に関する。
【０００２】
【従来の技術】
無線通信システムにおいて周波数の利用効率を向上させるために、複数のアンテナを有する送信装置が複数のアンテナからそれぞれ異なる信号を同一周波数で送信する通信方式が検討されている。このような通信方式の一例として、ＭＩＭＯ（Ｍｕｌｔｉ−Ｉｎｐｕｔ  Ｍｕｌｔｉ−Ｏｕｔｐｕｔ）方式が挙げられる。ＭＩＭＯ方式において、送信装置は、送信データに複数の伝搬路推定信号を挿入して送信信号として送信する。受信装置は、複数の伝搬路推定信号を用いて伝搬路推定を行う。そして、受信装置は、伝搬路推定の結果に基づいて復調処理を行うことにより送信データを得る（たとえば、特許文献１参照）。
【０００３】
以下、従来の送信装置について図面を用いて概説する。
【０００４】
図１３は、従来の送信装置の構成の一例を示すブロック図である。図１３に示す送信装置１３００は、制御部１３０２、シリアルパラレル変換部１３０４、拡散部１３０６−１、…、１３０６−Ｎ（Ｎは２以上の整数）、拡散部１３０８−１、…、１３０８−Ｎ、加算部１３１０、１３１２、伝搬路推定信号生成部１３１４、伝搬路推定信号挿入部１３１６、１３１８、無線送信部１３２０、１３２２およびアンテナ１３２４、１３２６を具備している。
【０００５】
制御部１３０２は、送信データの送信タイミングの制御を行う。シリアルパラレル変換部１３０４は、送信データをアンテナ１３２４、１３２６の各々に振り分けるために制御部１３０２からの送信データをシリアルパラレル変換する。拡散部１３０６−１〜１３０６−Ｎは、アンテナ１３２４（以下、「第１アンテナ１３２４」と言う）に対して振り分けられた送信データ（以下、「第１送信データ」と言う）を拡散する。拡散部１３０８−１〜１３０８−Ｎは、アンテナ１３２６（以下、「第２アンテナ１３２６」と言う）に対して振り分けられた送信データ（以下、「第２送信データ」と言う）を拡散する。加算部１３１０は、拡散部１３０６−１〜１３０６−Ｎによって拡散された第１送信データを加算する。加算部１３１２は、拡散部１３０８−１〜１３０８−Ｎによって拡散された第２送信データを加算する。
【０００６】
伝搬路推定信号生成部１３１４は、受信装置によって行われる伝搬路推定において用いられる信号である伝搬路推定信号を生成する。伝搬路推定信号挿入部１３１６は、第１送信データに第１伝搬路推定信号を挿入して第１送信信号を生成する。伝搬路推定信号挿入部１３１８は、第２送信データに第２伝搬路推定信号を挿入して第２送信信号を生成する。無線送信部１３２０は、第１送信信号を無線周波数に周波数変換して第１アンテナ１３２４から送信する。無線送信部１３２２は、第２送信信号を無線周波数に周波数変換して第２アンテナ１３２６から送信する。
【０００７】
図１４は、送信装置１３００の動作の一例を説明するための図である。伝搬路推定信号生成部１３１４は、４個のシンボルから成る第１伝搬路推定信号を生成する。また、伝搬路推定信号生成部１３１４は、４個のシンボルから成る第２伝搬路推定信号を生成する。そして、伝搬路推定信号生成部１３１４は、第１伝搬路推定信号の前半の２シンボルを極性反転せず、後半の２シンボルを極性反転する。また、伝搬路推定信号生成部１３１４は、第２伝搬路推定信号の全てのシンボルを極性反転しない。伝搬路推定信号挿入部１３１６、１３１８は、上記のような第１伝搬路推定信号および第２伝搬路推定信号を第１送信データおよび第２送信データにそれぞれ挿入することにより第１送信信号および第２送信信号を生成する。
【０００８】
【特許文献１】
特開２００２−１２４８９９号公報
【０００９】
【発明が解決しようとする課題】
しかしながら、送信装置１３００および受信装置の間に周波数オフセット（キャリア周波数の誤差）が存在する時に送信装置１３００が上記のような第１伝搬路推定信号および第２伝搬路推定信号を送信する場合、受信装置によって行われる伝搬路推定の結果において位相誤差が発生するため、受信装置の復調処理において誤りが多く発生するから、受信装置における誤り率特性が良くないという問題があった。
【００１０】
本発明は、かかる点に鑑みてなされたものであり、受信装置の誤り率特性を向上させることができる送信装置および送信方法を提供することを目的とする。
【００１１】
【課題を解決するための手段】
本発明の送信装置は、受信装置宛ての送信データと前記受信装置によって行われる伝搬路推定において用いられる複数の伝搬路推定信号とを送信信号として複数のアンテナから送信する送信装置において、複数のシンボルをそれぞれ有する複数のシンボル列を複数の予備伝搬路推定信号として生成するシンボル列生成手段と、前記伝搬路推定の結果における位相誤差が除去されるように前記複数の予備伝搬路推定信号において極性反転すべきシンボルである反転対象シンボルを選択するシンボル選択手段と、前記反転対象シンボルを極性反転して反転シンボルを生成する極性反転手段と、前記複数の予備伝搬路推定信号において前記反転対象シンボル以外のシンボルである非反転シンボルと前記反転シンボルとを合成して前記複数の伝搬路推定信号を生成する伝搬路推定信号生成手段と、前記複数の伝搬路推定信号を前記送信データに挿入して前記送信信号を生成する送信信号生成手段と、を具備する構成を採る。
【００１２】
この構成によれば、受信装置によって行われる伝搬路推定の結果における位相誤差が除去されるように複数の予備伝搬路推定信号において極性反転すべきシンボルである反転対象シンボルを選択するため、送信装置および受信装置の間に周波数オフセットが存在する時に送信装置が送信信号を送信する場合に伝搬路推定の結果において位相誤差が発生しないから、受信信号の復調処理において誤りの発生頻度が低減されるので、受信装置の誤り率特性を向上させることができる。
【００１３】
本発明の送信装置は、上記構成において、前記シンボル列生成手段が、４個のシンボルをそれぞれ有する２個のシンボル列を２個の予備伝搬路推定信号として生成し、前記シンボル選択手段が、前記２個の予備伝搬路推定信号の一方を構成する前記４個のシンボルのうち２番目および３番目に送信されるシンボルを前記反転対象シンボルとして選択する構成を採る。
【００１４】
この構成によれば、上記効果に加えて、２個の伝搬路推定信号を用いる送信装置および受信装置の間に周波数オフセットが存在する時に送信装置が送信信号を送信する場合に伝搬路推定の結果において位相誤差が発生しないから、受信信号の復調処理において誤りの発生頻度が低減されるので、受信装置の誤り率特性を向上させることができる。
【００１５】
本発明の送信装置は、上記構成において、前記シンボル生成手段が、６個のシンボルをそれぞれ有する３個のシンボル列を３個の予備伝搬路推定信号として生成し、前記シンボル選択手段が、前記３個の予備伝搬路推定信号の第１の予備伝搬路推定信号を構成する前記６個のシンボルのうち３番目および４番目に送信されるシンボルを前記反転対象シンボルとして選択し、かつ、前記３個の予備伝搬路推定信号の第２の予備伝搬路推定信号を構成する前記６個のシンボルのうち２番目および５番目に送信されるシンボルを前記反転対象シンボルとして選択する構成を採る。
【００１６】
この構成によれば、上記効果に加えて、３個の伝搬路推定信号を用いる送信装置および受信装置の間に周波数オフセットが存在する時に送信装置が送信信号を送信する場合に伝搬路推定の結果において位相誤差が発生しないから、受信信号の復調処理において誤りの発生頻度が低減されるので、受信装置の誤り率特性を向上させることができる。
【００１７】
本発明の送信装置は、上記構成において、前記シンボル列生成手段が、８個のシンボルをそれぞれ有する４個のシンボル列を４個の予備伝搬路推定信号として生成し、前記シンボル選択手段が、前記４個の予備伝搬路推定信号の第１の予備伝搬路推定信号を構成する前記８個のシンボルのうち４番目および５番目に送信されるシンボルを前記反転対象シンボルとして選択し、前記４個の予備伝搬路推定信号の第２の予備伝搬路推定信号を構成する前記８個のシンボルのうち３番目および６番目に送信されるシンボルを前記反転対象シンボルとして選択し、かつ、前記４個の予備伝搬路推定信号の第３の予備伝搬路推定信号を構成する前記８個のシンボルのうち２番目および７番目に送信されるシンボルを前記反転対象シンボルとして選択する構成を採る。
【００１８】
この構成によれば、上記効果に加えて、４個の伝搬路推定信号を用いる送信装置および受信装置の間に周波数オフセットが存在する時に送信装置が送信信号を送信する場合に伝搬路推定の結果において位相誤差が発生しないから、受信信号の復調処理において誤りの発生頻度が低減されるので、受信装置の誤り率特性を向上させることができる。
【００１９】
本発明の送信装置は、上記構成において、前記送信信号生成手段が、前記複数の伝搬路推定信号の各シンボルの周期を前記送信データの周期より短くする周期短縮手段と、前記周期短縮手段によって前記周期を短くされる前記複数の伝搬路推定信号を前記送信データに挿入して前記送信信号を生成する信号挿入手段と、を具備する構成を採る。
【００２０】
この構成によれば、上記効果に加えて、伝送効率を向上させることができる。
【００２１】
本発明の送信装置は、上記構成において、前記周期短縮手段が、前記送信データにおける拡散率より低い拡散率を用いて前記複数の伝搬路推定信号を拡散することにより前記複数の伝搬路推定信号の各シンボルの前記周期を短くする構成を採る。
【００２２】
この構成によれば、上記効果に加えて、容易に伝送効率を向上させることができる。
【００２３】
本発明の送信装置は、上記構成において、前記送信信号を複数のサブキャリアに分配して伝送するマルチキャリア伝送手段をさらに具備する構成を採る。
【００２４】
この構成によれば、上記効果に加えて、送信信号をマルチパスの影響を低減できるマルチキャリア信号［たとえば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号］に変換することができるため、周波数利用効率を向上させることができると共に受信装置の誤り率特性を一層向上させることができる。
【００２５】
本発明の基地局装置は、上記のいずれかに記載の送信装置を具備する構成を採る。
【００２６】
この構成によれば、上記のいずれかに記載の送信装置と同様の作用効果を基地局装置において実現することができる。
【００２７】
本発明の通信端末装置は、上記のいずれかに記載の送信装置を具備する構成を採る。
【００２８】
この構成によれば、上記のいずれかに記載の送信装置と同様の作用効果を通信端末装置において実現することができる。
【００２９】
本発明の送信方法は、受信装置宛ての送信データと前記受信装置によって行われる伝搬路推定において用いられる複数の伝搬路推定信号とを送信信号として複数のアンテナから送信する送信装置における送信方法において、複数のシンボルをそれぞれ有する複数のシンボル列を複数の予備伝搬路推定信号として生成するシンボル列生成ステップと、前記伝搬路推定の結果における位相誤差が除去されるように前記複数の予備伝搬路推定信号において極性反転すべきシンボルである反転対象シンボルを選択するシンボル選択ステップと、前記反転対象シンボルを極性反転して反転シンボルを生成する極性反転ステップと、前記複数の予備伝搬路推定信号において前記反転対象シンボル以外のシンボルである非反転シンボルと前記反転シンボルとを合成して前記複数の伝搬路推定信号を生成する伝搬路推定信号生成ステップと、前記複数の伝搬路推定信号を前記送信データに挿入して前記送信信号を生成する送信信号生成ステップと、を具備するようにした。
【００３０】
この方法によれば、受信装置によって行われる伝搬路推定の結果における位相誤差が除去されるように複数の予備伝搬路推定信号において極性反転すべきシンボルである反転対象シンボルを選択するため、送信装置および受信装置の間に周波数オフセットが存在する時に送信装置が送信信号を送信する場合に伝搬路推定の結果において位相誤差が発生しないから、受信装置の復調処理において誤りの発生頻度が低減されるので、受信装置の誤り率特性を向上させることができる。
【００３１】
【発明の実施の形態】
本発明の骨子は、受信装置によって行われる伝搬路推定の結果における位相誤差が除去されるように、前記伝搬路推定において用いられる複数の伝搬路推定信号となる複数の予備伝搬路推定信号において極性反転すべきシンボルである反転対象シンボルを選択して極性を反転することである。
【００３２】
以下、本発明の実施の形態について、図面を参照して詳細に説明する。
【００３３】
（実施の形態１）
図１は、本発明の実施の形態１に係る送信装置の構成を示すブロック図である。
【００３４】
図１に示す送信装置１００は、制御部１０２、シリアルパラレル変換部１０４（以下、「Ｓ／Ｐ変換部１０４」と言う）、アンテナ１０６、１０８、送信信号生成部１１０、シンボル列生成部１１２、シンボル選択部１１４、極性反転部１１６および伝搬路推定信号生成部１１８を具備している。送信信号生成部１１０は、送信信号生成ユニット１２０、１３０を具備している。送信信号生成ユニット１２０は、アンテナ１０６に対応するものであり、送信信号生成ユニット１３０は、アンテナ１０８に対応するものである。
【００３５】
なお、送信装置１００は、Ｍ本（Ｍは２以上の整数）のアンテナを有するものであり、Ｍ個の送信信号生成ユニットを有するものである。ただし、以下の説明において、便宜上、送信装置１００は、２本のアンテナを有するものとして説明する。
【００３６】
送信信号生成ユニット１２０は、拡散部１２２−１、…、１２２−Ｎ（Ｎは２以上の整数）、加算部１２４、伝搬路推定信号挿入部１２６および無線送信部１２８を具備している。送信信号生成ユニット１３０は、拡散部１３２−１、…、１３２−Ｎ、加算部１３４、伝搬路推定信号挿入部１３６および無線送信部１３８を具備している。
【００３７】
Ｓ／Ｐ変換部１０４の入力端子は、制御部１０２に接続されている。拡散部１２２−１〜１２２−Ｎ、１３２−１〜１３２−Ｎの入力端子は、Ｓ／Ｐ変換部１０４に接続されている。加算部１２４の入力端子は、拡散部１２２−１〜１２２−Ｎに接続されている。加算部１３４の入力端子は、拡散部１３２−１〜１３２−Ｎに接続されている。シンボル選択部１１４の入力端子は、シンボル生成部１１２に接続されている。極性反転部１１６の入力端子は、シンボル選択部１１４に接続されている。伝搬路推定信号生成部１１８の入力端子は、シンボル選択部１１４および極性反転部１１６に接続されている。
【００３８】
伝搬路推定信号挿入部１２６の入力端子は、伝搬路推定信号生成部１１８および加算部１２４に接続されている。伝搬路推定信号挿入部１３６の入力端子は、伝搬路推定信号生成部１１８および加算部１３４に接続されている。無線送信部１２８の入力端子は、伝搬路推定信号挿入部１２６に接続されている。無線送信部１３８の入力端子は、伝搬路推定信号挿入部１３６に接続されている。アンテナ１０６の入力端子は、無線送信部１２８に接続されている。アンテナ１０８の入力端子は、無線送信部１３８に接続されている。
【００３９】
制御部１０２は、受信信号宛てに送信されるデータである送信データを一時的に格納し、送信データの送信タイミングを制御してＳ／Ｐ変換部１０４に出力する。Ｓ／Ｐ変換部１０４は、制御部１０２からの送信データをシリアルパラレル変換してアンテナ１０６（以下、「第１アンテナ１０６」と言う）およびアンテナ１０８（以下、「第２アンテナ１０８」と言う）に振り分ける。
【００４０】
シンボル列生成部１１２は、第１アンテナ１０６および第２アンテナ１０８にそれぞれ対応し、かつ、複数のシンボルを有する２つのシンボル列を２つの予備伝搬路推定信号として生成する。すなわち、シンボル列生成部１１２は、Ｍ本（Ｍは２以上の整数）のアンテナにそれぞれ対応し、かつ、Ｋ個（Ｋは２以上の整数）のシンボルをそれぞれ有するＭ個のシンボル列をＭ個の予備伝搬路推定信号として生成する動作を実行する。シンボル列生成部１１２は、たとえば、第１アンテナ１０６および第２アンテナ１０８にそれぞれ対応する２つのシンボルを複数回生成することにより２つのシンボル列を２つの予備伝搬路推定信号として生成する。以下、第１アンテナ１０６に対応する予備伝搬路推定信号を「第１予備伝搬路推定信号」と言う。また、第２アンテナ１０８に対応する予備伝搬路推定信号を「第２予備伝搬路推定信号」と言う。
【００４１】
シンボル選択部１１４は、受信装置によって行われる伝搬路推定の結果における位相誤差が除去されるように第１予備伝搬路推定信号および第２予備伝搬路推定信号において極性反転すべきシンボルである反転対象シンボルを選択する。すなわち、シンボル選択部１１４は、受信装置によって行われる伝搬路推定の結果における位相誤差が除去されるようにＭ個の予備伝搬路推定信号において極性反転すべきシンボルである反転対象シンボルを選択する。シンボル選択部１１４は、第１予備伝搬路推定信号および第２予備伝搬路推定信号のいずれかにおいて極性判定すべきシンボルがない場合に当該予備伝搬路推定信号において０個の反転対象シンボルを選択する。なお、受信装置によって行われる伝搬路推定の結果における位相誤差については、後で詳述する。
【００４２】
極性反転部１１６は、シンボル選択部１１４によって選択された反転対象シンボルを極性反転して反転シンボルを生成する。
【００４３】
伝搬路推定信号生成部１１８は、第１予備伝搬路推定信号および第２予備伝搬路推定信号において、シンボル選択部１１４によって選択された反転対象シンボル以外のシンボルである非反転シンボルと極性反転部１１６によって生成された反転シンボルとを合成する。このようにして、伝搬路推定信号生成部１１８は、受信装置によって行われる伝搬路推定において用いられる２つの伝搬路推定用信号を生成する。すなわち、伝搬路推定信号生成部１１８は、Ｍ個の予備伝搬路推定信号において反転対象シンボル以外のシンボルである非反転シンボルと反転シンボルとを合成してＭ個の伝搬路推定信号を生成する動作を実行する。以下、第１アンテナ１０６に対応する伝搬路推定信号を「第１伝搬路推定信号」と言う。また、第２アンテナ１０８に対応する伝搬路推定信号を「第２伝搬路推定信号」と言う。
【００４４】
以下、送信信号生成部１１０における動作について説明する。拡散部１２２−１〜１２２−Ｎは、第１アンテナ１０６に振り分けられた送信データ（以下、「第１送信データ」と言う）を拡散する。拡散部１３２−１〜１３２−Ｎは、第２アンテナ１０８に振り分けられた送信データ（以下、「第２送信データ」と言う）を拡散する。加算部１２４は、拡散部１２２−１〜１２２−Ｎによって拡散された第１送信データを加算する。加算部１３４は、拡散部１３２−１〜１３２−Ｎによって拡散された第２送信データを加算する。このようにして、第１送信データおよび第２送信データは、符号分割多重信号となる。
【００４５】
伝搬路推定信号挿入部１２６は、第１伝搬路推定信号を符号分割多重信号となった第１送信データに挿入して第１アンテナ１０６に対応する送信信号を生成する。以下、第１アンテナ１０６に対応する送信信号を「第１送信信号」と言う。
【００４６】
ここで、伝搬路推定信号挿入部１２６の内部構成の一例について、図２を用いて説明する。伝搬路推定信号挿入部１２６は、拡散部２０２および信号挿入部２０４を具備している。拡散部２０２の入力端子は、伝搬路推定信号生成部１１８に接続されている。信号挿入部２０４の入力端子は、加算部１２４および拡散部２０２に接続されている。拡散部２０２は、第１伝搬路推定信号を所定の拡散率を有する拡散コードを用いて拡散する。信号挿入部２０４は、拡散部２０２によって拡散された第１伝搬路推定信号をプリアンブル信号として第１送信データに挿入して第１送信信号を生成する。
【００４７】
伝搬路推定信号挿入部１３６は、第２伝搬路推定信号を符号分割多重信号となった第２送信データに挿入して第２アンテナ１０８に対応する送信信号を生成する。以下、第２アンテナ１０８に対応する送信信号を「第２送信信号」と言う。
【００４８】
ここで、伝搬路推定信号挿入部１３６の内部構成の一例について、図３を用いて説明する。伝搬路推定信号挿入部１３６は、拡散部３０２および信号挿入部３０４を具備している。拡散部３０２の入力端子は、伝搬路推定信号生成部１１８に接続されている。信号挿入部３０４の入力端子は、加算部１３４および拡散部３０２に接続されている。拡散部３０２は、第２伝搬路推定信号を拡散部２０２における拡散コードと同一の拡散率を有する拡散コードを用いて拡散する。信号挿入部３０４は、拡散部３０２によって拡散された第２伝搬路推定信号をプリアンブル信号として第２送信データに挿入して第２送信信号を生成する。
【００４９】
無線送信部１２８は、伝搬路推定信号挿入部１２６によって生成された第１送信信号を無線周波数に周波数変換して、第１アンテナ１０６から送信する。無線送信部１３８は、伝搬路推定信号挿入部１３６によって生成された第２送信信号を無線周波数に周波数変換して、第２アンテナ１０８から送信する。
【００５０】
このようにして、送信信号生成部１１０は、Ｍ個の伝搬路推定信号をプリアンブル信号として送信データに挿入して送信信号を生成する動作を実行する。
【００５１】
次いで、上記構成を有する送信装置１００における動作について説明する。図４は、送信装置１００における動作の一例を説明するための図である。ここでは、４個のシンボルを有する伝搬路推定信号を送信データに挿入して送信信号を生成する送信装置１００の動作の一例について説明する。
【００５２】
シンボル列生成部１１２は、第１アンテナ１０６に対応し、かつ、４個のシンボルを有するシンボル列を第１予備伝搬路推定信号として生成する。また、シンボル列生成部１１２は、第２アンテナ１０８に対応し、かつ、４個のシンボルを有するシンボル列を第２予備伝搬路推定信号として生成する。
【００５３】
このようにして生成された各予備伝搬路推定信号の時間−空間平面上の配置は、図４の（Ａ）に示すとおりである。第１アンテナ１０６から１番目に送信されるシンボルＳ１１および第２アンテナ１０８から１番目に送信されるシンボルＳ２１は、時間軸上の同位置に配置される。第１アンテナ１０６から２番目に送信されるシンボルＳ１２および第２アンテナ１０８から２番目に送信されるシンボルＳ２２は、時間軸上の同位置に配置される。第１アンテナ１０６から３番目に送信されるシンボルＳ１３および第２アンテナ１０８から３番目に送信されるシンボルＳ２３は、時間軸上の同位置に配置される。第１アンテナ１０６から４番目に送信されるシンボルＳ１４および第２アンテナ１０８から４番目に送信されるシンボルＳ２４は、時間軸上の同位置に配置される。
【００５４】
そして、シンボル選択部１１４は、受信装置によって行われる伝搬路推定の結果における位相誤差が除去されるように第１予備伝搬路推定信号および第２予備伝搬路推定信号において反転対象シンボルを選択する。具体的には、シンボル選択部１１４は、第１予備伝搬路推定信号においてシンボルＳ１２、Ｓ１３を反転対象シンボルとして選択する。また、シンボル選択部１１４は、第２予備伝搬路推定信号において極性反転すべきシンボルがないので、反転対象シンボルを選択しない。反転対象シンボル選択後の各予備伝搬路推定信号の時間−空間平面上の配置は、図４の（Ｂ）に示すとおりである。
【００５５】
そして、極性反転部１１６は、シンボル選択部１１４によって選択された反転対象シンボルであるシンボルＳ１２、Ｓ１３を極性反転して反転シンボルＳＢ１２、ＳＢ１３を生成する。
【００５６】
そして、伝搬路推定信号生成部１１８は、第１予備伝搬路推定信号および第２予備伝搬路推定信号においてシンボル選択部１１４によって選択された反転対象シンボル以外のシンボルＳ１１、Ｓ１４、Ｓ２１〜Ｓ２４を非反転シンボルＳＡ１１、ＳＡ１４、ＳＡ２１〜ＳＡ２４とする。そして、伝搬路推定信号生成部１１８は、非反転シンボルＳＡ１１、ＳＡ１４、ＳＡ２１〜ＳＡ２４および反転シンボルＳＢ１２、ＳＢ１３を合成して第１伝搬路推定信号および第２伝搬路推定信号を生成する。
【００５７】
そして、送信信号生成部１１０は、第１伝搬路推定信号をプリアンブル信号として第１送信データに挿入して第１送信信号を生成する。また、送信信号生成部１１０は、第２伝搬路推定信号をプリアンブル信号として第２送信データに挿入して第２送信信号を生成する。
【００５８】
このようにして生成された送信信号の時間−空間平面上の配置は、図４の（Ｃ）に示すとおりである。第１アンテナ１０６から１番目に送信される非反転シンボルＳＡ１１および第２アンテナ１０８から１番目に送信される非反転シンボルＳＡ２１は、時間軸上の同位置に配置される。第１アンテナ１０６から２番目に送信される反転シンボルＳＢ１２および第２アンテナ１０８から２番目に送信される非反転シンボルＳＡ２２は、時間軸上の同位置に配置される。第１アンテナ１０６から３番目に送信される反転シンボルＳＢ１３および第２アンテナ１０８から３番目に送信される非反転シンボルＳＡ２３は、時間軸上の同位置に配置される。第１アンテナ１０６から４番目に送信される非反転シンボルＳＡ１４および第２アンテナ１０８から４番目に送信される非反転シンボルＳＡ２４は、時間軸上の同位置に配置される。第１アンテナ１０６から１番目に送信される送信データＤ１１および第２アンテナ１０８から１番目に送信される送信データＤ２１は、時間軸上の同位置に配置される。
【００５９】
ここで、上記のような配置を有する伝搬路推定信号を用いて受信装置によって行われる伝搬路推定について説明する。ここでは、伝搬路推定の一例として、受信装置は２つの受信アンテナ（第１受信アンテナおよび第２受信アンテナ）を有するものとして説明する。
【００６０】
まず、第１受信アンテナによって受信されて生成される第１受信データＲＸ１および第２受信アンテナによって受信されて生成される第２受信データＲＸ２は、次の（式１）および（式２）で示される。
ＲＸ１＝Ａ×ＴＸ１＋Ｂ×ＴＸ２  …  （式１）
ＲＸ２＝Ｃ×ＴＸ１＋Ｄ×ＴＸ２  …  （式２）
【００６１】
上の式において、Ａ、Ｂ、ＣおよびＤは、受信装置によって行われる伝搬路推定の結果である。Ａは、第１アンテナ１０６および第１受信アンテナの間の伝搬路（以下、「第１伝搬路」と言う）の伝搬路特性を表す。Ｂは、第１アンテナ１０６および第２受信アンテナの間の伝搬路（以下、「第２伝搬路」と言う）の伝搬路特性を表す。Ｃは、第２アンテナ１０８および第１受信アンテナの間の伝搬路（以下、「第３伝搬路」と言う）の伝搬路特性を表す。Ｄは、第２アンテナ１０８および第２受信アンテナの間の伝搬路（以下、「第４伝搬路」と言う）の伝搬路特性を表す。ＴＸ１は第１送信データを表す。ＴＸ２は第２送信データを表す。
【００６２】
したがって、受信装置は、次の（式３）および（式４）を用いて第１送信データＴＸ１および第２送信データＴＸ２を算出することができる。
ＴＸ１＝Ｄ×ＲＸ１／（Ａ×Ｄ−Ｂ×Ｃ）−Ｂ×ＲＸ２／（Ａ×Ｄ−Ｂ×Ｃ）
…  （式３）
ＴＸ２＝Ｃ×ＲＸ１／（Ａ×Ｄ−Ｂ×Ｃ）−Ａ×ＲＸ２／（Ａ×Ｄ−Ｂ×Ｃ）
…  （式４）
【００６３】
このため、受信装置は、第１送信データＴＸ１および第２送信データＴＸ２を得る際に上記の伝搬路特性Ａ、Ｂ、Ｃ、Ｄを推定する必要がある。受信装置は、伝搬路特性Ａ、Ｂ、Ｃ、Ｄを次のようにして推定する。
【００６４】
まず、１回目の推定として、第１受信アンテナは、第１アンテナから伝搬路推定信号として送信された非反転シンボルＳＡ１１を受信して第１伝搬路の特性値Ａ１を推定する。また、第２受信アンテナは、非反転シンボルＳＡ１１を受信して第２伝搬路の特性値Ｂ１を推定する。また、第１受信アンテナは、第２アンテナから伝搬路推定信号として送信された非反転シンボルＳＡ２１を受信して第３伝搬路の特性値Ｃ１を推定する。また、第２受信アンテナは、非反転シンボルＳＡ２１を受信して第４伝搬路の特性値Ｄ１を推定する。
【００６５】
次に、２回目の推定として、第１受信アンテナは、第１アンテナから伝搬路推定信号として送信された反転シンボルＳＢ１２を受信して第１伝搬路の特性値Ａ２を推定する。また、第２受信アンテナは、反転シンボルＳＢ１２を受信して第２伝搬路の特性値Ｂ２を推定する。また、第１受信アンテナは、第２アンテナから伝搬路推定信号として送信された非反転シンボルＳＡ２２を受信して第３伝搬路の特性値Ｃ２を推定する。また、第２受信アンテナは、非反転シンボルＳＡ２２を受信して第４伝搬路の特性値Ｄ２を推定する。
【００６６】
次に、３回目の推定として、第１受信アンテナは、第１アンテナから伝搬路推定信号として送信された反転シンボルＳＢ１３を受信して第１伝搬路の特性値Ａ３を推定する。また、第２受信アンテナは、非反転シンボルＳＡ２３を受信して第２伝搬路の特性値Ｂ３を推定する。また、第１受信アンテナは、第２アンテナから伝搬路推定信号として送信された非反転シンボルＳＡ２３を受信して第３伝搬路の特性Ｃ３を推定する。また、第２受信アンテナは、非反転シンボルＳＡ２４を受信して第４伝搬路の特性値Ｄ３を推定する。
【００６７】
次に、４回目の推定として、第１受信アンテナは、第１アンテナから伝搬路推定信号として送信された非反転シンボルＳＡ１４を受信して第１伝搬路の特性値Ａ４を推定する。また、第２受信アンテナは、非反転シンボルＳＡ１４を受信して第２伝搬路の特性値Ｂ４を推定する。また、第１受信アンテナは、第２アンテナから伝搬路推定信号として送信された非反転シンボルＳＡ２４を受信して第３伝搬路の特性値Ｃ４を推定する。また、第２受信アンテナは、非反転シンボルＳＡ２４を受信して第４伝搬路の特性値Ｄ４を推定する。
【００６８】
次に、受信装置は、特性値Ａ１、Ｂ１、Ｃ１、Ｄ１および特性値Ａ４、Ｂ４、Ｃ４、Ｄ４を平均した結果並びに特性値Ａ２、Ｂ２、Ｃ２、Ｄ２および特性値Ａ３、Ｂ３、Ｃ３、Ｄ３を平均した結果を用いて伝搬路特性Ａ、Ｂ、Ｃ、Ｄを推定する。これは、１番目および４番目に送信されたシンボルはいずれも極性反転されておらず、かつ、２番目および３番目に送信されたシンボルのうち第１アンテナ１０６から送信された２つのシンボルが極性反転されているからである。
【００６９】
ところで、一般的に、送信装置１００および受信装置の間に周波数オフセット（すなわち、キャリア周波数誤差）が存在する時、時間の経過に伴って、１回目、２回目、３回目および４回目の推定によって得られる各伝搬路推定結果において一定量の位相回転が生じる。具体的には、特性値Ａ１、Ｂ１、Ｃ１、Ｄ１から得られる伝搬路推定結果における位相は、図５のベクトルＶ１によって示される。特性値Ａ２、Ｂ２、Ｃ２、Ｄ２から得られる伝搬路推定結果における位相は、図５のベクトルＶ２によって示される。特性値Ａ３、Ｂ３、Ｃ３、Ｄ３から得られる伝搬路推定結果における位相は、図５のベクトルＶ３によって示される。特性値Ａ４、Ｂ４、Ｃ４、Ｄ４から得られる伝搬路推定結果におけるベクトルは、図５の矢印Ｖ４によって示される。
【００７０】
また、１回目および４回目の推定によって得られた各伝搬路推定結果を上記のように平均した結果における位相は、図５のベクトルＶ５によって示される。２回目および３回目の推定によって得られた各伝搬路推定結果を上記のように平均した結果における位相は、図５のベクトルＶ６によって示される。図５に示されているとおり、ベクトルＶ５およびベクトルＶ６の方向は同一であり、位相誤差が発生していない。すなわち、伝搬路推定の結果における位相誤差が除去されている。
【００７１】
このように、本実施の形態によれば、２本のアンテナにそれぞれ対応する２個の伝搬路推定信号を用いる送信装置１００および受信装置の間に周波数オフセットが存在する時に送信装置１００が送信信号を送信する場合に伝搬路推定の結果において位相誤差が発生しないから、受信信号の復調処理において誤りの発生頻度が低減されるので、受信装置の誤り率特性を向上させることができる。
【００７２】
なお、４個のシンボルを有する伝搬路推定信号の代わりに８個のシンボルを有する伝搬路推定信号を送信データに挿入して送信信号を生成する場合においても、上記と同様の効果を実現することができる。たとえば、送信装置１００は、第１アンテナ１０６から送信される８個のシンボルのうち最初の２個のシンボルを極性反転せず、次の４個のシンボルを極性反転して、かつ、最後の２個のシンボルを極性反転せずに送信データに挿入する。また、送信装置は、第２アンテナ１０８から送信される８個のシンボルの全てを極性反転せずに送信データに挿入する。
【００７３】
また、上でも述べたとおり、送信装置１００は、Ｍ本のアンテナを有するものであるから、送信装置１００の構成は、２本のアンテナを有するものに限定されない。
【００７４】
以下、送信装置１００の構成の一変更例として、送信装置１００が第１アンテナ１０６および第２アンテナ１０８と共に第３アンテナ（すなわち、３本のアンテナ）を有する場合について説明する。ここでは、６個のシンボルを有する伝搬路推定信号を送信データに挿入して送信信号を生成する時の送信装置１００の動作の一例について説明する。
【００７５】
この場合、シンボル列生成部１１２は、第１アンテナ１０６に対応し、かつ、６個のシンボルを有するシンボル列を第１予備伝搬路推定信号として生成する。また、シンボル列生成部１１２は、第２アンテナ１０８に対応し、かつ、６個のシンボルを有するシンボル列を第２予備伝搬路推定信号として生成する。また、シンボル列生成部１１２は、第３アンテナに対応し、かつ、６個のシンボルを有するシンボル列を第３予備伝搬路推定信号として生成する。
【００７６】
このようにして生成された各予備伝搬路推定信号の時間−空間平面上の配置は、図６の（Ａ）に示すとおりである。シンボルＳ１１、Ｓ２１および第３アンテナから１番目に送信されるシンボルＳ３１は、時間軸上の同位置に配置される。シンボルＳ１２、シンボルＳ２２および第３アンテナから２番目に送信されるシンボルＳ３２は、時間軸上の同位置に配置される。シンボルＳ１３、Ｓ２３および第３アンテナから３番目に送信されるシンボルＳ３３は、時間軸上の同位置に配置される。
【００７７】
シンボルＳ１４、Ｓ２４および第３アンテナから４番目に送信されるシンボルＳ３４は、時間軸上の同位置に配置される。第１アンテナ１０６から５番目に送信されるシンボルＳ１５、第２アンテナ１０８から５番目に送信されるシンボルＳ２５および第３アンテナから５番目に送信されるシンボルＳ３５は、時間軸上の同位置に配置される。第１アンテナ１０６から６番目に送信されるシンボルＳ１６、第２アンテナ１０８から６番目に送信されるシンボルＳ２６および第３アンテナから６番目に送信されるシンボルＳ３６は、時間軸上の同位置に配置される。
【００７８】
そして、シンボル選択部１１４は、受信装置によって行われる伝搬路推定の結果における位相誤差が除去されるように第１予備伝搬路推定信号、第２予備伝搬路推定信号および第３予備伝搬路推定信号において反転対象シンボルを選択する。具体的には、シンボル選択部１１４は、第１予備伝搬路推定信号においてシンボルＳ１３、Ｓ１４を反転対象シンボルとして選択する。また、シンボル選択部１１４は、第２予備伝搬路推定信号においてシンボルＳ２２、Ｓ２５を反転対象シンボルとして選択する。また、シンボル選択部１１４は、第３予備伝搬路推定信号において極性反転すべきシンボルがないので、反転対象シンボルを選択しない。反転対象シンボル選択後の各予備伝搬路推定信号の時間−空間平面上の配置は、図６の（Ｂ）に示すとおりである。
【００７９】
そして、極性反転部１１６は、シンボル選択部１１４によって選択された反転対象シンボルであるシンボルＳ１３、Ｓ１４、Ｓ２２、Ｓ２５を極性反転して反転シンボルＳＢ１３、ＳＢ１４、ＳＢ２２、ＳＢ２５を生成する。
【００８０】
そして、伝搬路推定信号生成部１１８は、第１予備伝搬路推定信号、第２予備伝搬路推定信号および第３予備伝搬路推定信号においてシンボル選択部１１４によって選択された反転対象シンボル以外のシンボルＳ１１、Ｓ１２、Ｓ１５、Ｓ１６、Ｓ２１、Ｓ２３、Ｓ２４、Ｓ２６、Ｓ３１〜Ｓ３６を非反転シンボルＳＡ１１、ＳＡ１２、ＳＡ１５、ＳＡ１６、ＳＡ２１、ＳＡ２３、ＳＡ２４、ＳＡ２６、ＳＡ３１〜ＳＡ３６とする。そして、伝搬路推定信号生成部１１８は、非反転シンボルＳＡ１１、ＳＡ１２、ＳＡ１５、ＳＡ１６、ＳＡ２１、ＳＡ２３、ＳＡ２４、ＳＡ２６、ＳＡ３１〜ＳＡ３６および反転シンボルＳＢ１３、ＳＢ１４、ＳＢ２２、ＳＢ２５を合成して第１伝搬路推定信号、第２伝搬路推定信号および第３伝搬路推定信号を生成する。
【００８１】
そして、送信信号生成部１１０は、第１伝搬路推定信号をプリアンブル信号として第１送信データに挿入して第１送信信号を生成する。また、送信信号生成部１１０は、第２伝搬路推定信号をプリアンブル信号として第２送信データに挿入して第２送信信号を生成する。また、送信信号生成部１１０は、第３伝搬路推定信号をプリアンブル信号として第３アンテナに対応する送信データである第３送信データに挿入して第３送信信号を生成する。
【００８２】
このようにして生成された送信信号の時間−空間平面上の配置は、図６の（Ｃ）に示すとおりである。第１アンテナ１０６から１番目に送信される非反転シンボルＳＡ１１、第２アンテナ１０８から１番目に送信される非反転シンボルＳＡ２１および第３アンテナから１番目に送信される非反転シンボルＳＡ３１は、時間軸上の同位置に配置される。第１アンテナ１０６から２番目に送信される非反転シンボルＳＡ１２、第２アンテナ１０８から２番目に送信される反転シンボルＳＢ２２および第３アンテナから２番目に送信される非反転シンボルＳＡ３２は、時間軸上の同位置に配置される。第１アンテナ１０６から３番目に送信される反転シンボルＳＢ１３、第２アンテナ１０８から３番目に送信される非反転シンボルＳＡ２３および第３アンテナから３番目に送信される非反転シンボルＳＡ３３は、時間軸上の同位置に配置される。
【００８３】
第１アンテナ１０６から４番目に送信される反転シンボルＳＢ１４、第２アンテナ１０８から４番目に送信される非反転シンボルＳＡ２４および第３アンテナから４番目に送信される非反転シンボルＳＡ３４は、時間軸上の同位置に配置される。第１アンテナ１０６から５番目に送信される非反転シンボルＳＡ１５、第２アンテナ１０８から５番目に送信される反転シンボルＳＢ２５および第３アンテナから５番目に送信される非反転アンテナＳＡ３５は、時間軸上の同位置に配置される。第１アンテナ１０６から６番目に送信される非反転シンボルＳＡ１６、第２アンテナ１０８から６番目に送信される非反転シンボルＳＡ２６および第３アンテナから６番目に送信される非反転シンボルＳＡ３６は、時間軸上の同位置に配置される。送信データＤ１１、Ｄ２１および第３アンテナから１番目に送信される送信データＤ３１は、時間軸上の同位置に配置される。
【００８４】
このように、本実施の形態によれば、３本のアンテナにそれぞれ対応する３個の伝搬路推定信号を用いる送信装置１００および受信装置の間に周波数オフセットが存在する時に送信装置１００が送信信号を送信する場合に伝搬路推定の結果において位相誤差が発生しないから、受信信号の復調処理において誤りの発生頻度が低減されるので、受信装置の誤り率特性を向上させることができる。
【００８５】
次いで、送信装置１００の構成の他の変更例として、送信装置１００が第１アンテナ１０６、第２アンテナ１０８および第３アンテナと共に第４アンテナ（すなわち、４本のアンテナ）を有する場合について説明する。ここでは、８個のシンボルを有する伝搬路推定信号を送信データに挿入して送信信号を生成する時の送信装置１００の動作の一例について説明する。
【００８６】
この場合、シンボル列生成部１１２は、第１アンテナ１０６に対応し、かつ、８個のシンボルを有するシンボル列を第１予備伝搬路推定信号として生成する。また、シンボル列生成部１１２は、第２アンテナ１０８に対応し、かつ、８個のシンボルを有するシンボル列を第２予備伝搬路推定信号として生成する。また、シンボル列生成部１１２は、第３アンテナに対応し、かつ、８個のシンボルを有するシンボル列を第３予備伝搬路推定信号として生成する。また、シンボル列生成部１１２は、第４アンテナに対応し、かつ、８個のシンボルを有するシンボル列を第４予備伝搬路推定信号として生成する。
【００８７】
このようにして生成された各予備伝搬路推定信号の時間−空間平面上の配置は、図７の（Ａ）に示すとおりである。シンボルＳ１１、Ｓ２１、Ｓ３１および第４アンテナから１番目に送信されるシンボルＳ４１は、時間軸上の同位置に配置される。シンボルＳ１２、Ｓ２２、Ｓ３２および第４アンテナから２番目に送信されるシンボルＳ４２は、時間軸上の同位置に配置される。シンボルＳ１３、Ｓ２３、Ｓ３３および第４アンテナから３番目に送信されるシンボルＳ４３は、時間軸上の同位置に配置される。シンボルＳ１４、Ｓ２４、Ｓ３４および第４アンテナから４番目に送信されるシンボルＳ４４は、時間軸上の同位置に配置される。
【００８８】
シンボルＳ１５、Ｓ２５、Ｓ３５および第４アンテナから５番目に送信されるシンボルＳ４５は、時間軸上の同位置に配置される。シンボルＳ１６、Ｓ２６、Ｓ３６および第４アンテナから６番目に送信されるシンボルＳ４６は、時間軸上の同位置に配置される。第１アンテナ１０６から７番目に送信されるシンボルＳ１７、第２アンテナ１０８から７番目に送信されるシンボルＳ２７、第３アンテナから７番目に送信されるシンボルＳ３７および第４アンテナから７番目に送信されるシンボルＳ４７は、時間軸上の同位置に配置される。第１アンテナ１０６から８番目に送信されるシンボルＳ１８、第２アンテナ１０８から８番目に送信されるシンボルＳ２８、第３アンテナから８番目に送信されるシンボルＳ３８および第４アンテナから８番目に送信されるシンボルＳ４８は、時間軸上の同位置に配置される。
【００８９】
そして、シンボル選択部１１４は、受信装置によって行われる伝搬路推定の結果における位相誤差が除去されるように第１予備伝搬路推定信号、第２予備伝搬路推定信号、第３予備伝搬路推定信号および第４予備伝搬路推定信号において反転対象シンボルを選択する。具体的には、シンボル選択部１１４は、第１予備伝搬路推定信号においてシンボルＳ１４、Ｓ１５を反転対象シンボルとして選択する。また、シンボル選択部１１４は、第２予備伝搬路推定信号においてシンボルＳ２３、Ｓ２６を反転対象シンボルとして選択する。また、シンボル選択部１１４は、第３予備伝搬路推定信号においてシンボルＳ３２、Ｓ３７を反転対象シンボルとして選択する。また、シンボル選択部１１４は、第４予備伝搬路推定信号において極性反転すべきシンボルがないので、反転対象シンボルを選択しない。反転対象シンボル選択後の各予備伝搬路推定信号の時間−空間平面上の配置は、図７の（Ｂ）に示すとおりである。
【００９０】
そして、極性反転部１１６は、シンボル選択部１１４によって選択された反転対象シンボルであるシンボルＳ１４、Ｓ１５、Ｓ２３、Ｓ２６、Ｓ３２、Ｓ３７を極性反転して反転シンボルＳＢ１４、ＳＢ１５、ＳＢ２３、ＳＢ２６、ＳＢ３２、ＳＢ３７を生成する。
【００９１】
そして、伝搬路推定信号生成部１１８は、第１予備伝搬路推定信号、第２予備伝搬路推定信号、第３予備伝搬路推定信号および第４予備伝搬路推定信号においてシンボル選択部１１４によって選択された反転対象シンボル以外のシンボルＳ１１〜Ｓ１３、Ｓ１６〜Ｓ１８、Ｓ２１、Ｓ２２、Ｓ２４、Ｓ２５、Ｓ２７、Ｓ２８、Ｓ３１、Ｓ３３〜Ｓ３６、Ｓ３８、Ｓ４１〜Ｓ４８を非反転シンボルＳＡ１１〜ＳＡ１３、ＳＡ１６〜ＳＡ１８、ＳＡ２１、ＳＡ２２、ＳＡ２４、ＳＡ２５、ＳＡ２７、ＳＡ２８、ＳＡ３１、ＳＡ３３〜ＳＡ３６、ＳＡ３８、ＳＡ４１〜ＳＡ４８とする。そして、伝搬路推定信号生成部１１８は、非反転シンボルＳＡ１１〜ＳＡ１３、ＳＡ１６〜ＳＡ１８、ＳＡ２１、ＳＡ２２、ＳＡ２４、ＳＡ２５、ＳＡ２７、ＳＡ２８、ＳＡ３１、ＳＡ３３〜ＳＡ３６、ＳＡ３８、ＳＡ４１〜ＳＡ４８および反転シンボルＳＢ１４、ＳＢ１５、ＳＢ２３、ＳＢ２６、ＳＢ３２、ＳＢ３７を合成して第１伝搬路推定信号、第２伝搬路推定信号、第３伝搬路推定信号および第４伝搬路推定信号を生成する。
【００９２】
そして、送信信号生成部１１０は、第１伝搬路推定信号をプリアンブル信号として第１送信データに挿入して第１送信信号を生成する。また、送信信号生成部１１０は、第２伝搬路推定信号をプリアンブル信号として第２送信データに挿入して第２送信信号を生成する。送信信号生成部１１０は、第３伝搬路推定信号をプリアンブル信号として第３送信データに挿入して第３送信信号を生成する。送信信号生成部１１０は、第４伝搬路推定信号をプリアンブル信号として第４アンテナに対応する送信データである第４送信データに挿入して第４送信信号を生成する。
【００９３】
このようにして生成された送信信号の時間−空間平面上の配置は、図７の（Ｃ）に示すとおりである。第１アンテナ１０６から１番目に送信される非反転シンボルＳＡ１１、第２アンテナ１０８から１番目に送信される非反転シンボルＳＡ２１、第３アンテナから１番目に送信される非反転シンボルＳＡ３１および第４アンテナから１番目に送信される非反転シンボルＳＡ４１は、時間軸上の同位置に配置される。第１アンテナ１０６から２番目に送信される非反転シンボルＳＡ１２、第２アンテナ１０８から２番目に送信される非反転シンボルＳＡ２２、第３アンテナから２番目に送信される反転シンボルＳＢ３２および第４アンテナから２番目に送信される非反転シンボルＳＡ４２は、時間軸上の同位置に配置される。
【００９４】
第１アンテナ１０６から３番目に送信される非反転シンボルＳＡ１３、第２アンテナ１０８から３番目に送信される反転シンボルＳＢ２３、第３アンテナから３番目に送信される非反転シンボルＳＡ３３および第４アンテナから３番目に送信される非反転シンボルＳＡ４３は、時間軸上の同位置に配置される。第１アンテナ１０６から４番目に送信される反転シンボルＳＢ１４、第２アンテナ１０８から４番目に送信される非反転シンボルＳＡ２４、第３アンテナから４番目に送信される非反転シンボルＳＡ３４および第４アンテナから４番目に送信される非反転シンボルＳＡ４４は、時間軸上の同位置に配置される。
【００９５】
第１アンテナ１０６から５番目に送信される反転シンボルＳＢ１５、第２アンテナ１０８から５番目に送信される非反転シンボルＳＡ２５、第３アンテナから５番目に送信される非反転シンボルＳＡ３５および第４アンテナから５番目に送信される非反転シンボルＳＡ４５は、時間軸上の同位置に配置される。第１アンテナ１０６から６番目に送信される非反転シンボルＳＡ１６、第２アンテナ１０８から６番目に送信される反転シンボルＳＢ２６、第３アンテナから６番目に送信される非反転シンボルＳＡ３６および第４アンテナから６番目に送信される非反転シンボルＳＡ４６は、時間軸上の同位置に配置される。
【００９６】
第１アンテナ１０６から７番目に送信される非反転シンボルＳＡ１７、第２アンテナ１０８から７番目に送信される非反転シンボルＳＡ２７、第３アンテナから７番目に送信される反転シンボルＳＢ３７および第４アンテナから７番目に送信される非反転シンボルＳＡ４７は、時間軸上の同位置に配置される。第１アンテナ１０６から８番目に送信される非反転シンボルＳＡ１８、第２アンテナ１０８から８番目に送信される非反転シンボルＳＡ２８、第３アンテナから８番目に送信される非反転シンボルＳＡ３８および第４アンテナから８番目に送信される非反転シンボルＳＡ４８は、時間軸上の同位置に配置される。
【００９７】
このように、本実施の形態によれば、４本のアンテナにそれぞれ対応する４個の伝搬路推定信号を用いる送信装置１００および受信装置の間に周波数オフセットが存在する時に送信装置１００が送信信号を送信する場合に伝搬路推定の結果において位相誤差が発生しないから、受信信号の復調処理において誤りの発生頻度が低減されるので、受信装置の誤り率特性を向上させることができる。
【００９８】
このように、実施の形態１によれば、受信装置によって行われる伝搬路推定の結果における位相誤差が除去されるように複数の予備伝搬路推定信号において反転対象シンボルを選択するため、送信装置１００および受信装置の間に周波数オフセットが存在する時に送信装置１００が送信信号を送信する場合に伝搬路推定の結果において位相誤差が発生しないから、受信信号の復調処理において誤りの発生頻度が低減されるので、受信装置の誤り率特性を向上させることができる。
【００９９】
なお、実施の形態１に係る送信装置１００は、無線通信システムにおける基地局装置に適用することができる。この場合、上記の作用効果を基地局装置において実現することができる。また、実施の形態１に係る送信装置１００は、無線通信システムにおける通信端末装置に適用することができる。この場合、上記の作用効果を通信端末装置において実現することができる。
【０１００】
（実施の形態２）
図８は、本発明の実施の形態２に係る送信装置の構成を示すブロック図である。なお、実施の形態２に係る送信装置は、実施の形態１に係る送信装置と同様の基本的構成を有しており、同一の構成要素には同一の参照符号を付し、その説明を省略する。
【０１０１】
図８に示す送信装置８００は、図１に示す送信装置１００における送信信号生成部１１０の代わりに送信信号生成部８０２を具備して成るものである。送信信号生成部８０２は、送信信号生成ユニット８０４、８０６を具備している。送信信号生成ユニット８０４は、送信装置１００の送信信号生成ユニット１２０における伝搬路推定信号挿入部１２６の代わりに伝搬路推定信号挿入部８０８を具備して成るものである。送信信号生成ユニット８０６は、送信装置１００の送信信号生成ユニット１３０における伝搬路推定信号挿入部１３６の代わりに伝搬路推定信号挿入部８１０を具備して成るものである。送信信号生成ユニット８０４は、第１アンテナ１０６に対応するものである。送信信号生成ユニット８０６は、第２アンテナ１０８に対応するものである。
【０１０２】
なお、送信装置８００は、送信装置１００と同様にＭ本のアンテナを有するものであり、Ｍ個の送信信号生成ユニットを有するものである。ただし、以下の説明において、便宜上、送信装置８００は２本のアンテナを有するものとして説明する。
【０１０３】
Ｓ／Ｐ変換部１０４の入力端子は、制御部１０２に接続されている。拡散部１２２−１〜１２２−Ｎ、１３２−１〜１３２−Ｎの入力端子は、Ｓ／Ｐ変換部１０４に接続されている。加算部１２４の入力端子は、拡散部１２２−１〜１２２−Ｎに接続されている。加算部１３４の入力端子は、拡散部１３２−１〜１３２−Ｎに接続されている。シンボル選択部１１４の入力端子は、シンボル生成部１１２に接続されている。極性反転部１１６の入力端子は、シンボル選択部１１４に接続されている。伝搬路推定信号生成部１１８の入力端子は、シンボル選択部１１４および極性反転部１１６に接続されている。
【０１０４】
伝搬路推定信号挿入部８０８の入力端子は、伝搬路推定信号生成部１１８および加算部１２４に接続されている。伝搬路推定信号挿入部８１０の入力端子は、伝搬路推定信号生成部１１８および加算部１３４に接続されている。無線送信部１２８の入力端子は、伝搬路推定信号挿入部８０８に接続されている。無線送信部１３８の入力端子は、伝搬路推定信号挿入部８１０に接続されている。アンテナ１０６（第１アンテナ１０６）の入力端子は、無線送信部１２８に接続されている。アンテナ１０８（第２アンテナ１０８）の入力端子は、無線送信部１３８に接続されている。
【０１０５】
伝搬路推定信号挿入部８０８は、第１伝搬路推定信号を符号分割多重信号となった第１送信データに挿入して第１送信信号を生成する。
【０１０６】
ここで、伝搬路推定信号挿入部８０８の内部構成の一例について、図９を用いて説明する。伝搬路推定信号挿入部８０８は、伝搬路推定信号挿入部１２６における拡散部２０２の代わりに拡散部９０２を具備して成るものである。拡散部９０２の入力端子は、伝搬路推定信号生成部１１８に接続されている。信号挿入部２０４の入力端子は、加算部１２４および拡散部９０２に接続されている。拡散部９０２は、第１伝搬路推定信号を第１送信データにおける拡散率より低い拡散率を有する拡散コードを用いて拡散する。信号挿入部２０４は、拡散部９０２によって拡散された第１伝搬路推定信号をプリアンブル信号として第１送信データに挿入して第１送信信号を生成する。
【０１０７】
伝搬路推定信号挿入部８１０は、第２伝搬路推定信号を符号分割多重信号となった第２送信データに挿入して第２送信信号を生成する。
【０１０８】
ここで、伝搬路推定信号挿入部８１０の内部構成の一例について、図１０を用いて説明する。伝搬路推定信号挿入部８１０は、伝搬路推定信号挿入部１３６における拡散部３０２の代わりに拡散部１００２を具備して成るものである。拡散部１００２の入力端子は、伝搬路推定信号生成部１１８に接続されている。信号挿入部３０４の入力端子は、加算部１３４および拡散部１００２に接続されている。拡散部１００２は、第２伝搬路推定信号を拡散部９０２における拡散コードと同一の拡散率を有する拡散コードを用いて拡散する。信号挿入部３０４は、拡散部９０２によって拡散された第２伝搬路推定信号をプリアンブル信号として第２送信データに挿入して第２送信信号を生成する。
【０１０９】
このようにして生成された送信信号の時間−空間平面上の配置の一例は、図１１に示すとおりである。図１１に示すとおり、各シンボルの周期ＰＳは、送信データの周期ＰＤより短い。すなわち、拡散部９０２、１００２は、複数の伝搬路推定信号の各シンボルの周期ＰＳを送信データの周期ＰＤより短くする周期短縮部としての動作を実行する。また、拡散部９０２、１００２は、送信データにおける拡散率より低い拡散率を用いて各シンボルの周期ＰＳを短くする動作を実行する。
【０１１０】
このように、実施の形態２によれば、複数の伝搬路推定信号における各シンボルの周期ＰＳを送信データの周期ＰＤよりも短くするため、伝送効率を向上させることができる。また、実施の形態２によれば、送信データにおける拡散率より低い拡散率を用いて各シンボルの周期を短くするため、容易に伝送効率を向上させることができる。
【０１１１】
なお、送信装置８００の構成の変更例として、送信装置８００が、実施の形態１において説明した送信装置１００と同様に、３本のアンテナを有する場合、または、４本のアンテナを有する場合においても、上記と同様の作用効果を実現することができる。
【０１１２】
また、実施の形態２に係る送信装置８００は、無線通信システムにおける基地局装置に適用することができる。この場合、上記の作用効果を基地局装置において実現することができる。また、実施の形態２に係る送信装置８００は、無線通信システムにおける通信端末装置に適用することができる。この場合、上記の作用効果を通信端末装置において実現することができる。
【０１１３】
（実施の形態３）
図１２は、本発明の実施の形態３に係る送信装置１２００の構成を示すブロック図である。なお、実施の形態３に係る送信装置１２００は、実施の形態１に係る送信装置１００と同様の基本的構成を有しており、同一の構成要素には同一の参照符号を付し、その説明を省略する。
【０１１４】
図１２に示す送信装置１２００は、送信装置１００における送信信号生成部１１０の代わりに送信信号生成部１２０２を具備して成るものである。送信信号生成部１２０２は、送信信号生成ユニット１２０４、１２０６を具備している。送信信号生成ユニット１２０４は、送信信号生成ユニット１２０の構成要素の他にマルチキャリア伝送部１２０８を具備して成るものである。送信信号生成ユニット１２０６は、送信信号生成ユニット１３０の構成要素の他にマルチキャリア伝送部１２１０を具備して成るものである。送信信号生成ユニット１２０４は、第１アンテナ１０６に対応するものである。送信信号生成ユニット１２０６は、第２アンテナ１０８に対応するものである。
【０１１５】
なお、送信装置１２００は、送信装置１００と同様にＭ本のアンテナを有するものであり、Ｍ個の送信信号生成ユニットを有するものである。ただし、以下の説明において、便宜上、送信装置１２００は２本のアンテナを有するものとして説明する。
【０１１６】
Ｓ／Ｐ変換部１０４の入力端子は、制御部１０２に接続されている。拡散部１２２−１〜１２２−Ｎ、１３２−１〜１３２−Ｎの入力端子は、Ｓ／Ｐ変換部１０４に接続されている。加算部１２４の入力端子は、拡散部１２２−１〜１２２−Ｎに接続されている。加算部１３４の入力端子は、拡散部１３２−１〜１３２−Ｎに接続されている。シンボル選択部１１４の入力端子は、シンボル生成部１１２に接続されている。極性反転部１１６の入力端子は、シンボル選択部１１４に接続されている。伝搬路推定信号生成部１１８の入力端子は、シンボル選択部１１４および極性反転部１１６に接続されている。
【０１１７】
伝搬路推定信号挿入部１２６の入力端子は、伝搬路推定信号生成部１１８および加算部１２４に接続されている。伝搬路推定信号挿入部１３６の入力端子は、伝搬路推定信号生成部１１８および加算部１３４に接続されている。マルチキャリア伝送部１２０８の入力端子は、伝搬路推定信号挿入部１２６に接続されている。マルチキャリア伝送部１２１０の入力端子は、伝搬路推定信号挿入部１３６に接続されている。無線送信部１２８の入力端子は、マルチキャリア伝送部１２０８に接続されている。無線送信部１３８の入力端子は、マルチキャリア伝送部１２１０に接続されている。アンテナ１０６（第１アンテナ１０６）の入力端子は、無線送信部１２８に接続されている。アンテナ１０８（第２アンテナ１０８）の入力端子は、無線送信部１３８に接続されている。
【０１１８】
マルチキャリア伝送部１２０８は、第１送信信号を複数のサブキャリアの各々に分配して伝送する。マルチキャリア伝送部１２０８は、たとえば直交周波数分割多重による分配を行う。この場合、第１送信信号は、ベースバンドＯＦＤＭ信号に変換される。
【０１１９】
マルチキャリア伝送部１２１０は、第２送信信号を複数のサブキャリアの各々に分配して伝送する。マルチキャリア伝送部１２１０は、たとえば直交周波数分割多重による分配を行う。この場合、第２送信信号は、ベースバンドＯＦＤＭ信号に変換される。
【０１２０】
このように、実施の形態３によれば、送信信号をマルチパスの影響を大きく低減できるマルチキャリア信号（たとえば、ＯＦＤＭ信号）に変換することができるため、周波数利用効率を向上させることができると共に受信装置の誤り率特性を一層向上させることができる。
【０１２１】
なお、送信装置１２００の構成の変更例として、送信装置１２００が、実施の形態１において説明した送信装置１００と同様に、３本のアンテナを有する場合、または、４本のアンテナを有する場合においても、上記と同様の作用効果を実現することができる。
【０１２２】
また、送信装置１２００の構成の他の変更例として、送信装置１２００が、伝搬路推定信号挿入部１２６、１３６の代わりに、実施の形態２において説明した伝搬路推定信号挿入部８０８、８１０を具備しても良い。この場合においても、上記と同様の作用効果を実現することができる。
【０１２３】
また、実施の形態３に係る送信装置１２００は、無線通信システムにおける基地局装置に適用することができる。この場合、上記の作用効果を基地局装置において実現することができる。また、実施の形態３に係る送信装置１２００は、無線通信システムにおける通信端末装置に適用することができる。この場合、上記の作用効果を通信端末装置において実現することができる。
【０１２４】
【発明の効果】
以上説明したように、本発明によれば、受信装置の誤り率特性を向上させることができる。
【図面の簡単な説明】
【図１】本発明の実施の形態１に係る送信装置の構成を示すブロック図
【図２】本発明の実施の形態１に係る送信装置における伝搬路推定信号挿入部の内部構成の一例を示すブロック図
【図３】本発明の実施の形態１に係る送信装置における伝搬路推定信号挿入部の内部構成の一例を示すブロック図
【図４】本発明の実施の形態１に係る送信装置における動作の一例を説明するための図
【図５】本発明の実施の形態１に係る送信装置からの伝搬路推定信号を用いた伝搬路推定を説明するための図
【図６】本発明の実施の形態１に係る送信装置における動作の他の例を説明するための図
【図７】本発明の実施の形態１に係る送信装置における動作の他の例を説明するための図
【図８】本発明の実施の形態２に係る送信装置の構成を示すブロック図
【図９】本発明の実施の形態２に係る送信装置における伝搬路推定信号挿入部の内部構成の一例を示すブロック図
【図１０】本発明の実施の形態２に係る送信装置における伝搬路推定信号挿入部の内部構成の一例を示すブロック図
【図１１】本発明の実施の形態２に係る送信装置において生成される送信信号の時間−空間平面上の配置を説明するための図
【図１２】本発明の実施の形態３に係る送信装置の構成を示すブロック図
【図１３】従来の送信装置の構成の一例を示すブロック図
【図１４】従来の送信装置における動作の一例を説明するための図
【符号の説明】
１００、８００、１２００  送信装置
１０２  制御部
１０４  シリアルパラレル変換部
１０６、１０８  アンテナ
１１０、８０２、１２０２  送信信号生成部
１１２  シンボル列生成部
１１４  シンボル選択部
１１６  極性反転部
１１８  伝搬路推定信号生成部
１２２−１、…、１２２−Ｎ、１３２−１、…、１３２−Ｎ  拡散部
１２４、１３４  加算部
１２６、１３６、８０８、８１０  伝搬路推定信号挿入部
１２８、１３８  無線送信部
１２０８、１２１０  マルチキャリア伝送部
【図１】
2004236175.tif 000003
【図２】
2004236175.tif 000004
【図３】
2004236175.tif 000005
【図４】
2004236175.tif 000006
【図５】
2004236175.tif 000007
【図６】
2004236175.tif 000008
【図７】
2004236175.tif 000009
【図８】
2004236175.tif 000010
【図９】
2004236175.tif 000011
【図１０】
2004236175.tif 000012
【図１１】
2004236175.tif 000013
【図１２】
2004236175.tif 000014
【図１３】
2004236175.tif 000015
【図１４】
2004236175.tif 000016